(57)【要約】【課題】「Ｎｏｎ-ｃｏｎｔｅｎｔｉｏｎ  ＲＡ  ｐｒｏｃｅｄｕｒｅ」が、Ｓｃｅｌｌで行われる場合、かかる「ＲＡ  ｒｅｓｐｏｎｓｅ」を受けるための「ＲＡ  ｒｅｓｐｏｎｓｅ  ｗｉｎｄｏｗ  ｓｉｚｅ」を柔軟に設定する。【解決手段】本発明に係る移動局ＵＥは、Ｓｃｅｌｌにおいて「ＲＡ  ｐｒｅａｍｂｌｅ」を送信してから「ＲＡ  ｒｅｐｏｎｓｅ  ｗｉｎｄｏｗ  ｓｉｚｅ」によって規定される期間が満了するまで、Ｐｃｅｌｌにおいて「ＲＡ  ｒｅｐｓｏｎｓｅ」の受信を試みるように構成されている制御部１２を具備しており、制御部１２は、無線基地局ｅＮＢからの指示に応じて、「ＲＡ  ｒｅｐｏｎｓｅ  ｗｉｎｄｏｗ  ｓｉｚｅ」として、Ｐｃｅｌｌ用の「ＲＡ  ｒｅｐｏｎｓｅ  ｗｉｎｄｏｗ  ｓｉｚｅ」及びＳｃｅｌｌ用の「ＲＡ  ｒｅｐｏｎｓｅ  ｗｉｎｄｏｗ  ｓｉｚｅ」のどちらを用いるべきかについて決定する。【選択図】図５
2014033410.tif 000002
【特許請求の範囲】
【請求項１】
無線基地局との間でプライマリセル及びセカンダリセルを用いてキャリアアグリゲーションを行うことができるように構成されている移動局であって、
前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている制御部を具備しており、
前記制御部は、前記無線基地局からの指示に応じて、前記ランダムアクセス応答ウィンドウサイズとして、前記プライマリセル用のランダムアクセス応答ウィンドウサイズ及び前記セカンダリセル用のランダムアクセス応答ウィンドウサイズのどちらを用いるべきかについて決定するように構成されていることを特徴とする移動局。
【請求項２】
移動局との間でプライマリセル及びセカンダリセルを用いてキャリアアグリゲーションを行うことができるように構成されている無線基地局であって、
前記移動局が、前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている場合、該移動局に対して、該ランダムアクセス応答ウィンドウサイズとして、前記プライマリセル用のランダムアクセス応答ウィンドウサイズ及び前記セカンダリセル用のランダムアクセス応答ウィンドウサイズのどちらを用いるべきかについて指示するように構成されていることを特徴とする無線基地局。
【請求項３】
無線基地局との間でプライマリセル及びセカンダリセルを用いてキャリアアグリゲーションを行うことができるように構成されている移動局であって、
前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている制御部を具備しており、
前記制御部は、前記ランダムアクセス応答ウィンドウサイズとして、前記無線基地局から指示されたランダムアクセス用リソースに関連付けられているランダムアクセス応答ウィンドウサイズを用いるように構成されていることを特徴とする移動局。
【請求項４】
移動局との間でプライマリセル及びセカンダリセルを用いてキャリアアグリゲーションを行うことができるように構成されている無線基地局であって、
前記移動局が、前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている場合、該移動局に対して、ランダムアクセス応答ウィンドウサイズに関連付けられているランダムアクセス用リソースを指示するように構成されていることを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式及びＬＴＥ-Ａｄｖａｎｃｅｄ方式では、移動局ＵＥと無線基地局ｅＮＢとの間におけるタイミングを同期させるために、「ＲＡ（Ｒａｎｄｏｍ  Ａｃｃｅｓｓ）  ｐｒｏｃｅｄｕｒｅ」を起動するように構成されている。
【０００３】
ここで、図６を参照して、かかる「ＲＡ  ｐｒｏｃｅｄｕｒｅ」のうちの１つである「Ｎｏｎ-ｃｏｎｔｅｎｔｉｏｎ  ＲＡ  ｐｒｏｃｅｄｕｒｅ」の動作について説明する。
【０００４】
図６に示すように、ＳＴＥＰ１において、無線基地局ｅＮＢは、移動局ＵＥに対して、「ＰＤＣＣＨ（Ｐｈｙｓｉｃａｌ  Ｄｏｗｎｌｉｎｋ  Ｃｏｎｔｒｏｌ  Ｃｈａｎｎｅｌ）  ｏｒｄｅｒ」を用いて「ＲＡ  ｐｒｏｃｅｄｕｒｅ」を行うように指示する。
【０００５】
ＳＴＥＰ２において、移動局ＵＥは、割り当てられているＲＡＣＨ（Ｒａｎｄｏｍ  Ａｃｃｅｓｓ  Ｃｈａｎｎｅｌ）用リソースで、「ＲＡ  ｐｒｅａｍｂｌｅ」を送信する。
【０００６】
ＳＴＥＰ３において、移動局ＵＥは、「ＲＡ  ｒｅｓｐｏｎｓｅ  ｗｉｎｄｏｗ」によって規定される期間、無線基地局ｅＮＢからの「ＲＡ  ｒｅｓｐｏｎｓｅ」の受信を試みる。
【０００７】
ＳＴＥＰ４において、移動局ＵＥは、「ＲＡ  ｒｅｓｐｏｎｓｅ」を受信した場合、「ＲＡ  ｒｅｓｐｏｎｓｅ」内に格納されている「ＴＡ（Ｔｉｍｉｎｇ  Ａｄｖａｎｃｅ）  ｃｏｍｍａｎｄ」を適用して、「ＵＬ  ｇｒａｎｔ」の受信処理を行う。
【０００８】
ＳＴＥＰ５において、移動局ＵＥは、ＳＴＥＰ４で受信した「ＵＬ  ｇｒａｎｔ」を用いて、ＰＵＳＣＨ（Ｐｈｙｓｉｃａｌ  Ｕｐｌｉｎｋ  Ｓｈａｒｅｄ  Ｃｈａｎｎｅｌ）における送信を行う。
【０００９】
また、ＬＴＥ-Ａｄｖａｎｃｅｄ方式では、ＰＣＣ（Ｐｒｉｍａｒｙ  Ｃｏｍｐｏｎｅｎｔ  Ｃａｒｒｉｅｒ、プライマリキャリア）におけるサービングセルであるＰｃｅｌｌ（Ｐｒｉｍａｒｙ  Ｃｅｌｌ、プライマリセル）及びＳＣＣ（Ｓｅｃｏｎｄａｒｙ  Ｃｏｍｐｏｎｅｎｔ  Ｃａｒｒｉｅｒ、セカンダリキャリア）におけるサービングセルであるＳｃｅｌｌ（Ｓｅｃｏｎｄａｒｙ  Ｃｅｌｌ、セカンダリセル）を用いて、ＣＡ（Ｃａｒｒｉｅｒ  Ａｇｇｒｅｇａｔｉｏｎ、キャリアアグリゲーション）を行うことができる。
【００１０】
ここで、移動局ＵＥは、第１に、Ｐｃｅｌｌのみで通信を行い、必要に応じて、Ｓｃｅｌｌを追加することができるように構成されている。
【００１１】
特に、図７に示すように、異なるバンドを用いて「ＵＬ  ＣＡ」を行う場合（すなわち、「Ｉｎｔｅｒ-ｂａｎｄ  ＣＡ」を行う場合）、バンド毎に無線特性（遅延特性や減衰特性）が異なるため、各バンドのキャリア毎に同期を取る必要がある、すなわち、「ＲＡ  ｐｒｏｃｅｄｕｒｅ」を実施する必要がある。
【００１２】
かかる場合、無線基地局ｅＮＢは、Ｓｃｅｌｌに対しても、ＰＤＣＣＨを介して「Ｎｏｎ-ｃｏｎｔｅｎｔｉｏｎ  ＲＡ  ｐｒｏｃｅｄｕｒｅ」の起動を指示するように構成されている。
【先行技術文献】
【非特許文献】
【００１３】
【非特許文献１】３ＧＰＰ  ＴＳ３６.３２１
【非特許文献２】３ＧＰＰ  ＴＳ３６.３００
【発明の概要】
【発明が解決しようとする課題】
【００１４】
ＬＴＥ規格において、「Ｎｏｎ-ｃｏｎｔｅｎｔｉｏｎ  ＲＡ  ｐｒｏｃｅｄｕｒｅ」が、Ｓｃｅｌｌで行われる場合、移動局ＵＥが、Ｐｃｅｌｌにおいて「ＲＡ  ｒｅｓｐｏｎｓｅ」を受信することが合意されている。
【００１５】
しかしながら、ＬＴＥ規格では、かかる「ＲＡ  ｒｅｓｐｏｎｓｅ」を受けるための「ＲＡ  ｒｅｓｐｏｎｓｅ  ｗｉｎｄｏｗ  ｓｉｚｅ」について、Ｐｃｅｌｌ用或いはＳｃｅｌｌ用のどちらを用いるべきかについて規定されていないという問題点があった。
【００１６】
そこで、本発明は、上述の課題に鑑みてなされたものであり、「Ｎｏｎ-ｃｏｎｔｅｎｔｉｏｎ  ＲＡ  ｐｒｏｃｅｄｕｒｅ」が、Ｓｃｅｌｌで行われる場合、かかる「ＲＡ  ｒｅｓｐｏｎｓｅ」を受けるための「ＲＡ  ｒｅｓｐｏｎｓｅ  ｗｉｎｄｏｗ  ｓｉｚｅ」を柔軟に設定することができる移動局及び無線基地局を提供することを目的とする。
【課題を解決するための手段】
【００１７】
本発明の第１の特徴は、無線基地局との間でプライマリセル及びセカンダリセルを用いてキャリアアグリゲーションを行うことができるように構成されている移動局であって、前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている制御部を具備しており、前記制御部は、前記無線基地局からの指示に応じて、前記ランダムアクセス応答ウィンドウサイズとして、前記プライマリセル用のランダムアクセス応答ウィンドウサイズ及び前記セカンダリセル用のランダムアクセス応答ウィンドウサイズのどちらを用いるべきかについて決定するように構成されていることを要旨とする。
【００１８】
本発明の第２の特徴は、移動局との間でプライマリセル及びセカンダリセルを用いてキャリアアグリゲーションを行うことができるように構成されている無線基地局であって、前記移動局が、前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている場合、該移動局に対して、該ランダムアクセス応答ウィンドウサイズとして、前記プライマリセル用のランダムアクセス応答ウィンドウサイズ及び前記セカンダリセル用のランダムアクセス応答ウィンドウサイズのどちらを用いるべきかについて指示するように構成されていることを要旨とする。
【００１９】
本発明の第３の特徴は、無線基地局との間でプライマリセル及びセカンダリセルを用いてキャリアアグリゲーションを行うことができるように構成されている移動局であって、前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている制御部を具備しており、前記制御部は、前記ランダムアクセス応答ウィンドウサイズとして、前記無線基地局から指示されたランダムアクセス用リソースに関連付けられているランダムアクセス応答ウィンドウサイズを用いるように構成されていることを要旨とする。
【００２０】
本発明の第４の特徴は、移動局との間でプライマリセル及びセカンダリセルを用いてキャリアアグリゲーションを行うことができるように構成されている無線基地局であって、前記移動局が、前記セカンダリセルにおいてランダムアクセスプリアンブルを送信してからランダムアクセス応答ウィンドウサイズによって規定される期間が満了するまで、前記プライマリセルにおいてランダムアクセス応答の受信を試みるように構成されている場合、該移動局に対して、ランダムアクセス応答ウィンドウサイズに関連付けられているランダムアクセス用リソースを指示するように構成されていることを要旨とする。
【発明の効果】
【００２１】
以上説明したように、本発明によれば、「Ｎｏｎ-ｃｏｎｔｅｎｔｉｏｎ  ＲＡ  ｐｒｏｃｅｄｕｒｅ」が、Ｓｃｅｌｌで行われる場合、かかる「ＲＡ  ｒｅｓｐｏｎｓｅ」を受けるための「ＲＡ  ｒｅｓｐｏｎｓｅ  ｗｉｎｄｏｗ  ｓｉｚｅ」を柔軟に設定することができる移動局及び無線基地局を提供することができる。
【図面の簡単な説明】
【００２２】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムにおいてＰｃｅｌｌの「ＲＡ  ｒｅｓｐｏｎｓｅ  ｗｉｎｄｏｗ」が用いられる場合のシーケンス図である。
【図４】本発明の第１の実施形態に係る移動通信システムにおいてＳｃｅｌｌの「ＲＡ  ｒｅｓｐｏｎｓｅ  ｗｉｎｄｏｗ」が用いられる場合のシーケンス図である。
【図５】本発明の第１の実施形態に係る移動局の動作を示すフローチャートである。
【図６】従来技術を説明するための図である。
【図７】従来技術を説明するための図である。
【発明を実施するための形態】
【００２３】
（本発明の第１の実施形態に係る移動通信システム）
図１乃至図５を参照して、本発明の第１の実施形態に係る移動通信システムについて説明する。
【００２４】
本実施形態に係る移動通信システムは、ＬＴＥ-Ａｄｖａｎｃｅｄ方式をサポートするものであって、Ｐｃｅｌｌ（ｆ１）及びＳｃｅｌｌ（ｆ２）を用いてＣＡ、すなわち、「Ｉｎｔｅｒ-ｂａｎｄ  ＣＡ」を行うことができるように構成されている。
【００２５】
図２に示すように、本実施形態に係る移動局ＵＥは、受信部１１と、制御部１２と、ＲＡ  ｒｅｓｐｏｎｓｅ  ｗｉｎｄｏｗ  ｓｉｚｅ管理部１３と、送信部１４とを具備している。
【００２６】
受信部１１は、無線基地局ｅＮＢから各種信号を受信するように構成されており、送信部１４は、無線基地局ｅＮＢに対して各種信号を送信するように構成されている。
【００２７】
ＲＡ  ｒｅｓｐｏｎｓｅ  ｗｉｎｄｏｗ  ｓｉｚｅ管理部１３は、Ｐｃｅｌｌや各Ｓｃｅｌｌ用の「ＲＡ  ｒｅｓｐｏｎｓｅ  ｗｉｎｄｏｗ  ｓｉｚｅ」を管理するように構成されている。
【００２８】
例えば、受信部１１は、無線基地局ｅＮＢからの個別シグナリングによって、Ｐｃｅｌｌや各Ｓｃｅｌｌ用の「ＲＡ  ｒｅｓｐｏｎｓｅ  ｗｉｎｄｏｗ  ｓｉｚｅ」を取得するように構成されており、ＲＡ  ｒｅｓｐｏｎｓｅ  ｗｉｎｄｏｗ  ｓｉｚｅ管理部１３は、受信部１１によって取得されたＰｃｅｌｌや各Ｓｃｅｌｌ用の「ＲＡ  ｒｅｓｐｏｎｓｅ  ｗｉｎｄｏｗ  ｓｉｚｅ」を管理するように構成されている。
【００２９】
ここで、受信部１１は、移動局ＵＥが、Ｓｃｅｌｌを追加する際に、かかるＳｃｅｌｌ用の「ＲＡ  ｒｅｓｐｏｎｓｅ  ｗｉｎｄｏｗ  ｓｉｚｅ」を取得するように構成されていてもよい。
【００３０】
なお、受信部１１は、ＲＲＣ（Ｒａｄｉｏ  Ｒｅｓｏｕｒｃｅ  Ｃｏｎｔｒｏｌ）レイヤにおいて、かかる「ＲＡ  ｒｅｓｐｏｎｓｅ  ｗｉｎｄｏｗ  ｓｉｚｅ」を取得するように構成されていてもよいし、ＰＤＣＰ（Ｐａｃｋｅｔ  Ｄａｔａ  Ｃｏｎｖｅｒｇｅｎｃｅ  Ｐｒｏｔｏｃｏｌ）レイヤやＲＬＣ（Ｒａｄｉｏ  Ｌｉｎｋ  Ｃｏｎｔｒｏｌ）レイヤやＭＡＣ（Ｍｅｄｉａ  Ａｃｃｅｓｓ Ｃｏｎｔｒｏｌ）レイヤや物理レイヤ（ＰＤＣＣＨ  ｏｒｄｅｒ）において、かかる「ＲＡ  ｒｅｓｐｏｎｓｅ  ｗｉｎｄｏｗ  ｓｉｚｅ」を取得するように構成されていてもよい。
【００３１】
制御部１２は、Ｓｃｅｌｌにおいて、送信部１４を介して「ＲＡ  ｐｒｅａｍｂｌｅ」を送信してから「ＲＡ  ｒｅｐｏｎｓｅ  ｗｉｎｄｏｗ  ｓｉｚｅ」によって規定される期間が満了するまで、Ｐｃｅｌｌにおいて、受信部１１を介して「ＲＡ  ｒｅｐｓｏｎｓｅ」の受信を試みるように構成されている。
【００３２】
ここで、制御部１２は、無線基地局ｅＮＢからの指示に応じて、「ＲＡ  ｒｅｐｏｎｓｅ  ｗｉｎｄｏｗ  ｓｉｚｅ」として、Ｐｃｅｌｌ用の「ＲＡ  ｒｅｐｏｎｓｅ  ｗｉｎｄｏｗ  ｓｉｚｅ」及びＳｃｅｌｌ用の「ＲＡ  ｒｅｐｏｎｓｅ  ｗｉｎｄｏｗ  ｓｉｚｅ」のどちらを用いるべきかについて決定するように構成されている。
【００３３】
ここで、無線基地局ｅＮＢは、移動局ＵＥに対して、「ＲＡ  ｒｅｐｏｎｓｅ  ｗｉｎｄｏｗ  ｓｉｚｅ」として、Ｐｃｅｌｌ用の「ＲＡ  ｒｅｐｏｎｓｅ  ｗｉｎｄｏｗ  ｓｉｚｅ」及びＳｃｅｌｌ用の「ＲＡ  ｒｅｐｏｎｓｅ  ｗｉｎｄｏｗ  ｓｉｚｅ」のどちらを用いるべきかについて指示するように構成されている。
【００３４】
無線基地局ｅＮＢは、ＲＲＣレイヤにおいて、かかる指示を行うように構成されていてもよいし、ＰＤＣＰレイヤやＲＬＣレイヤやＭＡＣレイヤや物理レイヤ（ＰＤＣＣＨ  ｏｒｄｅｒ）において、かかる指示を行うように構成されていてもよい。
【００３５】
また、無線基地局ｅＮＢは、上述のように、明示的に、かかる指示を行うように構成されていてもよいし、例えば、「ＲＡ  ｐｒｅａｍｂｌｅ」等に関連付けて、暗示的に、かかる指示を行うように構成されていてもよい。
【００３６】
かかる場合、無線基地局ｅＮＢは、かかる関連付けについて、事前に、移動局ＵＥに対して指示しておくように構成されている。
【００３７】
かかる構成によれば、ネットワークの状況（例えば、ネットワークの混雑度や移動局ＵＥの優先度）によって、Ｓｃｅｌｌにおける「ＲＡ  ｐｒｏｃｅｄｕｒｅ」で移動局ＵＥが用いる「ＲＡ  ｒｅｓｐｏｎｓｅ  ｗｉｎｄｏｗ  ｓｉｚｅ」を柔軟に変更することができる。
【００３８】
ここで、図３に示すように、Ｓｃｅｌｌにおける「ＲＡ  ｐｒｏｃｅｄｕｒｅ」で移動局ＵＥが用いる「ＲＡ  ｒｅｓｐｏｎｓｅ  ｗｉｎｄｏｗ  ｓｉｚｅ」として、比較的長い「ＲＡ  ｒｅｓｐｏｎｓｅ  ｗｉｎｄｏｗ  ｓｉｚｅ」を設定すれば、すなわち、Ｐｃｅｌｌ用の「ＲＡ  ｒｅｐｏｎｓｅ  ｗｉｎｄｏｗ  ｓｉｚｅ」を用いれば、柔軟なスケジューリングを実現することができる。
【００３９】
一方、図４に示すように、Ｓｃｅｌｌにおける「ＲＡ  ｐｒｏｃｅｄｕｒｅ」で移動局ＵＥが用いる「ＲＡ  ｒｅｓｐｏｎｓｅ  ｗｉｎｄｏｗ  ｓｉｚｅ」として、比較的短い「ＲＡ  ｒｅｓｐｏｎｓｅ  ｗｉｎｄｏｗ  ｓｉｚｅ」を設定すれば、すなわち、Ｓｃｅｌｌ用の「ＲＡ  ｒｅｐｏｎｓｅ  ｗｉｎｄｏｗ  ｓｉｚｅ」を用いれば、「ＲＡ  ｐｒｅａｍｂｌｅ」の再送間隔を短くすることができるため、例えば、「ＲＡ  ｐｒｅａｍｂｌｅ」が無線で欠落した場合には、「ＲＡ  ｐｒｅａｍｂｌｅ」の再送を早期に行うことができ、Ｓｃｅｌｌにおける送受信を早期に行うことが可能である。
【００４０】
以下、図５を参照して、本実施形態に係る移動局ＵＥの動作について説明する。
【００４１】
図５に示すように、移動局ＵＥは、Ｓｃｅｌｌにおいて「ＲＡ  ｐｒｅａｍｂｌｅ」を送信する。
【００４２】
ステップＳ１０２において、移動局ＵＥは、Ｓｃｅｌｌにおける「ＲＡ  ｐｒｏｃｅｄｕｒｅ」で移動局ＵＥが用いる「ＲＡ  ｒｅｓｐｏｎｓｅ  ｗｉｎｄｏｗ  ｓｉｚｅ」として、Ｐｃｅｌｌ用の「ＲＡ  ｒｅｐｏｎｓｅ  ｗｉｎｄｏｗ  ｓｉｚｅ」を用いるように指示されているか否かについて判定する。
【００４３】
「Ｙｅｓ」の場合、本動作は、ステップＳ１０３に進み、「Ｎｏ」の場合、本動作は、ステップＳ１０４３に進む。
【００４４】
ステップＳ１０３において、移動局ＵＥは、Ｐｃｅｌｌにおいて、Ｐｃｅｌｌ用の「ＲＡ  ｒｅｐｏｎｓｅ  ｗｉｎｄｏｗ  ｓｉｚｅ」によって規定される期間が満了するまで、「ＲＡ  ｒｅｐｓｏｎｓｅ」の受信を試みる。
【００４５】
一方、ステップＳ１０４において、移動局ＵＥは、Ｐｃｅｌｌにおいて、Ｓｃｅｌｌ用の「ＲＡ  ｒｅｐｏｎｓｅ  ｗｉｎｄｏｗ  ｓｉｚｅ」によって規定される期間が満了するまで、「ＲＡ  ｒｅｐｓｏｎｓｅ」の受信を試みる。
【００４６】
（変更例１）
本発明の変更例１において、移動局ＵＥの制御部１２は、「ＲＡ  ｒｅｐｏｎｓｅ  ｗｉｎｄｏｗ  ｓｉｚｅ」として、無線基地局ｅＮＢから指示されたＲＡ用リソースに関連付けられている「ＲＡ  ｒｅｐｏｎｓｅ  ｗｉｎｄｏｗ  ｓｉｚｅ」を用いるように構成されていてもよい。
【００４７】
かかる場合、無線基地局ｅＮＢは、移動局ＵＥに対して、「ＲＡ  ｒｅｐｏｎｓｅ  ｗｉｎｄｏｗ  ｓｉｚｅ」に関連付けられているＲＡ用リソースを指示するように構成されていてもよい。
【００４８】
以上に述べた本実施形態の特徴は、以下のように表現されていてもよい。
【００４９】
本実施形態の第１の特徴は、無線基地局ｅＮＢとの間でＰｃｅｌｌ（プライマリセル）及びＳｃｅｌｌ（セカンダリセル）を用いてＣＡ（キャリアアグリゲーション）を行うことができるように構成されている移動局ＵＥであって、Ｓｃｅｌｌにおいて「ＲＡ  ｐｒｅａｍｂｌｅ（ランダムアクセスプリアンブル）」を送信してから「ＲＡ  ｒｅｐｏｎｓｅ  ｗｉｎｄｏｗ  ｓｉｚｅ（ランダムアクセス応答ウィンドウサイズ）」によって規定される期間が満了するまで、Ｐｃｅｌｌにおいて「ＲＡ  ｒｅｐｓｏｎｓｅ（ランダムアクセス応答）」の受信を試みるように構成されている制御部１２を具備しており、制御部１２は、無線基地局ｅＮＢからの指示に応じて、「ＲＡ  ｒｅｐｏｎｓｅ  ｗｉｎｄｏｗ  ｓｉｚｅ」として、Ｐｃｅｌｌ用の「ＲＡ  ｒｅｐｏｎｓｅ  ｗｉｎｄｏｗ  ｓｉｚｅ」及びＳｃｅｌｌ用の「ＲＡ  ｒｅｐｏｎｓｅ  ｗｉｎｄｏｗ  ｓｉｚｅ」のどちらを用いるべきかについて決定するように構成されていることを要旨とする。
【００５０】
本実施形態の第２の特徴は、移動局ＵＥとの間でＰｃｅｌｌ及びＳｃｅｌｌを用いてＣＡを行うことができるように構成されている無線基地局ｅＮＢであって、移動局ＵＥが、Ｓｃｅｌｌにおいて「ＲＡ  ｐｒｅａｍｂｌｅ」を送信してから「ＲＡ  ｒｅｐｏｎｓｅ  ｗｉｎｄｏｗ  ｓｉｚｅ」によって規定される期間が満了するまで、Ｐｃｅｌｌにおいて「ＲＡ  ｒｅｐｓｏｎｓｅ」の受信を試みるように構成されている場合、移動局ＵＥに対して、「ＲＡ  ｒｅｐｏｎｓｅ  ｗｉｎｄｏｗ  ｓｉｚｅ」として、Ｐｃｅｌｌ用の「ＲＡ  ｒｅｐｏｎｓｅ  ｗｉｎｄｏｗ  ｓｉｚｅ」及びＳｃｅｌｌ用の「ＲＡ  ｒｅｐｏｎｓｅ  ｗｉｎｄｏｗ  ｓｉｚｅ」のどちらを用いるべきかについて指示するように構成されていることを要旨とする。
【００５１】
本実施形態の第３の特徴は、無線基地局ｅＮＢとの間でＰｃｅｌｌ及びＳｃｅｌｌを用いてＣＡを行うことができるように構成されている移動局ＵＥであって、Ｓｃｅｌｌにおいて「ＲＡ  ｐｒｅａｍｂｌｅ」を送信してから「ＲＡ  ｒｅｐｏｎｓｅ  ｗｉｎｄｏｗ  ｓｉｚｅ」によって規定される期間が満了するまで、Ｐｃｅｌｌにおいて「ＲＡ  ｒｅｐｓｏｎｓｅ」の受信を試みるように構成されている制御部１２を具備しており、制御部１２は、「ＲＡ  ｒｅｐｏｎｓｅ  ｗｉｎｄｏｗ  ｓｉｚｅ」として、無線基地局ｅＮＢから指示されたＲＡ用リソースに関連付けられている「ＲＡ  ｒｅｐｏｎｓｅ  ｗｉｎｄｏｗ  ｓｉｚｅ」を用いるように構成されていることを要旨とする。
【００５２】
本実施形態の第４の特徴は、移動局ＵＥとの間でＰｃｅｌｌ及びＳｃｅｌｌを用いてＣＡを行うことができるように構成されている無線基地局ｅＮＢであって、移動局ＵＥが、Ｓｃｅｌｌにおいて「ＲＡ  ｐｒｅａｍｂｌｅ」を送信してから「ＲＡ  ｒｅｐｏｎｓｅ  ｗｉｎｄｏｗ  ｓｉｚｅ」によって規定される期間が満了するまで、Ｐｃｅｌｌにおいて「ＲＡ  ｒｅｐｓｏｎｓｅ」の受信を試みるように構成されている場合、かかる移動局ＵＥに対して、「ＲＡ  ｒｅｐｏｎｓｅ  ｗｉｎｄｏｗ  ｓｉｚｅ」に関連付けられているＲＡ用リソースを指示するように構成されていることを要旨とする。
【００５３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５７】
ｅＮＢ…無線基地局
１１…受信部
１２…制御部
１３…ＲＡ  ｒｅｓｐｏｎｓｅ  ｗｉｎｄｏｗ  ｓｉｚｅ管理部
１４…送信部
【図１】
2014033410.tif 000003
【図２】
2014033410.tif 000004
【図３】
2014033410.tif 000005
【図４】
2014033410.tif 000006
【図５】
2014033410.tif 000007
【図６】
2014033410.tif 000008
【図７】
2014033410.tif 000009